(57)【要約】【課題】十分な広さの軒下空間が得られるユニット式建物を提供する。【解決手段】ユニット式建物１００は、四隅に立設された柱の上端間及び下端間をそれぞれ天井梁及び床梁で連結した略直方体状のフレームを有する建物ユニット１を複数組み合わせて建築され、下階２の端部に配置される下階建物ユニット１１に取り付けられて軒下空間４を形成する庇５と、下階建物ユニット１１の真上に配置される上階建物ユニット１２に支持され、下階建物ユニット１１よりも屋外側に張り出して設けられる拡張ユニット６と、を備え、庇５が、拡張ユニット６に吊られて支持されていることを特徴とする。【選択図】図２
2015010444.tif 000002
【特許請求の範囲】
【請求項１】
四隅に立設された柱の上端間及び下端間をそれぞれ天井梁及び床梁で連結した略直方体状のフレームを有する建物ユニットを複数組み合わせて建築されたユニット式建物であって、
下階の端部に配置される下階建物ユニットに取り付けられて軒下空間を形成する庇と、
前記下階建物ユニットの真上に配置される上階建物ユニットに支持され、前記下階建物ユニットよりも屋外側に張り出して設けられる拡張ユニットと、を備え、
前記庇が、前記拡張ユニットに吊られて支持されていることを特徴とするユニット式建物。
【請求項２】
前記庇が矩形状に形成され、前記庇の直交する２辺のうち少なくとも一方が前記下階建物ユニットに取り付けられていることを特徴とする請求項１に記載のユニット式建物。
【請求項３】
前記庇の直交する２辺のうち、一方が前記下階建物ユニットに取り付けられ、他方が前記下階建物ユニットに隣接する建物ユニットに取り付けられていることを特徴とする請求項２に記載のユニット式建物。
【請求項４】
前記拡張ユニットの外側であって、かつ前記庇の上面に板材が設けられており、
前記庇は、前記板材を支持する中間梁を有することを特徴とする請求項１から３のいずれか一項に記載のユニット式建物。
【請求項５】
前記庇の上面の周縁部には立上り壁が設けられ、
前記拡張ユニットの外壁材と、前記下階建物ユニットの外壁材と、前記立上り壁とが略同一の模様を有していることを特徴とする請求項４に記載のユニット式建物。
【請求項６】
前記庇の内部に設けられ、前記庇上に位置する排水口を有するドレーン管を更に備え、
前記ドレーン管は、前記下階建物ユニットの外壁面に沿って設けられた竪樋に接続されていることを特徴とする請求項１から３のいずれか一項に記載のユニット式建物。
【発明の詳細な説明】
【技術分野】
【０００１】
本発明は、ユニット式建物に関する。
【背景技術】
【０００２】
従来から、住宅構造の一つとして、工場で製造された箱状の建物ユニットが建築現場で複数組み合わせられることで構築されるユニット式建物が知られている。建物ユニットは、四隅に立設される４本の柱と、これらの柱の上端間同士及び下端間同士をそれぞれ連結する天井梁及び床梁とから構成される。
【０００３】
このようなユニット式建物に、駐車スペースや物置等として使用される軒下空間を形成する場合、例えば、ユニット式建物の端に配置される建物ユニットに、庇を取り付けることによって（例えば、特許文献１参照）、当該庇の下方に軒下空間を形成することができる。また、上階の端に配置される建物ユニットを、下階の端から張り出した状態で設けることにより、当該建物ユニットの下方に軒下空間を形成することもできる（例えば、特許文献２参照）。
【先行技術文献】
【特許文献】
【０００４】
【特許文献１】特開２０１２−１７７２６５号公報
【特許文献２】特開２００３−３３６３１２号公報
【発明の概要】
【発明が解決しようとする課題】
【０００５】
しかしながら、上記した従来の技術にあっては、一定以上の大きさの軒下空間を形成する場合には適用することができない。
すなわち、上記した庇を設ける方法によれば、庇本体の大きさを大きくすることで軒下空間を大きくできると考えられるが、庇は建物ユニットに対して一端固定されているため、庇本体が大きくなり過ぎると重量が増大して庇本体を支持することができない。
一方、上階の建物ユニットを下階から張り出して設ける方法によれば、上階の建物ユニットを大きく設計することで軒下空間を大きくすることができるが、そのように大サイズに設計された建物ユニットは、道路交通法上、車両に積載して工場から建築現場まで搬送することができない場合がある。また、工場から建築現場への搬送が可能であったとしても、そのような大サイズの建物ユニットは重量が大きいため下階から張り出した状態で支持することは困難である。
【０００６】
そこで、本発明の課題は、十分な広さの軒下空間が得られるユニット式建物を提供することである。
【課題を解決するための手段】
【０００７】
上記課題を解決するために、請求項１に記載の発明は、例えば図１〜図４に示すように、
四隅に立設された柱の上端間及び下端間をそれぞれ天井梁及び床梁で連結した略直方体状のフレームを有する建物ユニット１を複数組み合わせて建築されたユニット式建物１００であって、
下階２の端部に配置される下階建物ユニット１１に取り付けられて軒下空間４を形成する庇５と、
前記下階建物ユニット１１の真上に配置される上階建物ユニット１２に支持され、前記下階建物ユニット１１よりも屋外側に張り出して設けられる拡張ユニット６と、を備え、
前記庇５が、前記拡張ユニット６に吊られて支持されていることを特徴とする。
【０００８】
請求項１に記載の発明によれば、下階２の端部に配置される下階建物ユニット１１に取り付けられて軒下空間４を形成する庇５と、下階建物ユニット１１の真上に配置される上階建物ユニット１２に支持され、下階建物ユニット１１よりも屋外側に張り出して設けられる拡張ユニット６と、を備え、庇５が、拡張ユニット６に吊られて支持されているので、庇５をキャンチ（片持ち）式と吊り下げ式で支持できることになり、簡易な構造で、庇５を安定して支持することができる。これにより、庇５の大面積化に伴い重量が増大しても庇５を確実に支持することができ、十分な広さの軒下空間４を得ることができる。
【０００９】
請求項２に記載の発明は、例えば図２〜図４に示すように、請求項１に記載のユニット式建物１００において、
前記庇５が矩形状に形成され、前記庇５の直交する２辺のうち少なくとも一方が前記下階建物ユニット１１に取り付けられていることを特徴とする。
【００１０】
請求項２に記載の発明によれば、庇５の直交する２辺のうち少なくとも一方が下階建物ユニット１１に取り付けられているので、庇５をより安定して支持することができる。このため、庇５の大面積化に伴い重量が増大しても庇５をより確実に支持することができ、十分な広さの軒下空間４を得ることができる。
【００１１】
請求項３に記載の発明は、例えば図７（ａ）、（ｂ）に示すように、請求項２に記載のユニット式建物１００Ｂにおいて、
前記庇５ｂの直交する２辺のうち、一方が前記下階建物ユニット１１に取り付けられ、他方が前記下階建物ユニット１１に隣接する建物ユニット（例えば下階建物ユニット１３）に取り付けられていることを特徴とする。
【００１２】
請求項３に記載の発明によれば、庇５ｂの直交する２辺のうち、一方が下階建物ユニット１１に取り付けられ、他方が下階建物ユニット１１に隣接する下階建物ユニット１３に取り付けられているので、庇５ｂをより安定して支持することができる。このため、庇５ｂの大面積化に伴い重量が増大しても庇５ｂをより確実に支持することができ、十分な広さの軒下空間４を得ることができる。
【００１３】
請求項４に記載の発明は、例えば図２〜図４に示すように、請求項１から３のいずれか一項に記載のユニット式建物１００において、
前記拡張ユニット６の外側であって、かつ前記庇５の上面に板材７４が設けられており、
前記庇５は、前記板材７４を支持する中間梁５９を有することを特徴とする。
【００１４】
請求項４に記載の発明によれば、拡張ユニット６の外側であってかつ庇５の上面に板材７４が設けられており、庇５は板材７４を支持する中間梁５９を有するので、中間梁５９によって板材７４を確実に支持することができる。また、これにより、庇５の上方の空間を有効に活用することができる。
【００１５】
請求項５に記載の発明は、例えば図２及び図４に示すように、請求項４に記載のユニット式建物１００において、
前記庇５の上面の周縁部には立上り壁７７が設けられ、
前記拡張ユニット６の外壁材６２と、前記下階建物ユニット１１の外壁材１１５と、前記立上り壁７７とが略同一の模様を有していることを特徴とする。
【００１６】
請求項５に記載の発明によれば、庇５の上面周縁部には立上り壁７７が設けられ、拡張ユニット６の外壁材６２と、下階建物ユニット１１の外壁材１１５と、立上り壁７７とが略同一の模様を有しているので、拡張ユニット６が張り出した方向から見て外観に統一感をもたせることができ、ユニット式建物１００の外観意匠性を向上させることができる。
【００１７】
請求項６に記載の発明は、例えば図５及び図６に示すように、請求項１から３のいずれか一項に記載のユニット式建物１００Ａにおいて、
前記庇５ａの内部に設けられ、前記庇５ａ上に位置する排水口８２を有するドレーン管８１を更に備え、
前記ドレーン管８１は、前記下階建物ユニット１１の外壁面に沿って設けられた竪樋８３に接続されていることを特徴とする。
【００１８】
請求項６に記載の発明によれば、庇５ａの内部に設けられ庇５ａ上に位置する排水口８２を有するドレーン管８１を更に備え、ドレーン管８１は下階建物ユニット１１の外壁面に沿って設けられた竪樋８３に接続されているので、庇５ａ上に降った雨水等を効率良く排水することができ、雨水等が溜まって庇５ａの重量が増大することを抑制できる。このため、庇５ａを長期間に亘って安定して支持することができる。
【発明の効果】
【００１９】
本発明によれば、庇をキャンチ式と吊り下げ式で支持することで、庇の大面積化に伴い重量が増大しても庇を確実に支持することができ、十分な広さの軒下空間を得ることができる。
【図面の簡単な説明】
【００２０】
【図１】本発明のユニット式建物を示す概略斜視図である。
【図２】本発明のユニット式建物を示す概略断面図である。
【図３】図２に示すユニット式建物の庇の内部構造及び取り付け構造を示す概略平面図である。
【図４】図２に示すユニット式建物の一部を示す概略図である。
【図５】本発明のユニット式建物の変形例を示す概略断面図である。
【図６】図５に示すユニット式建物の一部を示す概略図である。
【図７】本発明のユニット式建物の他の変形例を示す概略斜視図である。
【発明を実施するための形態】
【００２１】
以下、図面を参照して本発明の実施の形態について説明する。ただし、以下に述べる実施の形態には、本発明を実施するために技術的に好ましい種々の限定が付されているが、発明の範囲を以下の実施形態及び図示例に限定するものではない。
【００２２】
図１〜図４を参照して本発明のユニット式建物１００について説明する。
図１は、本発明のユニット式建物１００の概略斜視図である。図２は、ユニット式建物１００の概略断面図である。図３は、ユニット式建物１００の庇５の内部構造及び取り付け構造を示す概略平面図である。図４は、図２に示すユニット式建物１００の一部を示す概略図であり、それぞれ、図４（ａ）は、下階建物ユニット１１と庇５との取り付け箇所を示す図であり、図４（ｂ）は、庇５が拡張ユニット６に吊られている箇所を示す図であり、図４（ｃ）は、庇５の下階建物ユニット１１に取り付けられている箇所の反対側の端部を示す図である。
【００２３】
本発明のユニット式建物１００は、四隅に立設された柱の上端間及び下端間をそれぞれ天井梁及び床梁で連結した略直方体状のフレームを有する建物ユニット１を複数組み合わせて建築された建物である。ユニット式建物１００は、下階２及び上階３から構成されている。
【００２４】
ユニット式建物１００は、複数の建物ユニット１、複数の建物ユニット１のうち下階２の端部に配置される下階建物ユニット１１に取り付けられて軒下空間４を形成する庇５、下階建物ユニット１１の真上に配置される上階建物ユニット１２に支持され下階建物ユニット１１よりも屋外側に張り出して設けられる拡張ユニット６等を備えて構成されている。ここで、水平方向において拡張ユニット６が下階建物ユニット１１よりも屋外側に張り出す方向をＸ方向とし、水平方向において当該Ｘ方向に直交する方向をＹ方向とする。
【００２５】
庇５は、互いに平行でＹ方向に延設される２本の梁５１，５２と、互いに平行でＸ方向に延設され、２本の梁５１，５２の両端を接続する２本の梁５３，５４と、当該梁５１〜５４で構成される矩形枠体の鉛直方向上面を覆う面材５５と、梁５１〜５４で構成される矩形枠体の鉛直方向下面を野縁５６を介して覆う軒天材５７と、を備えて構成される矩形板状部材である。
【００２６】
このような庇５は、下階建物ユニット１１にキャンチ式で取り付けられている。
図３に示すように、庇５は、梁５１が下階建物ユニット１１の天井梁１１１に対向し平行になるように配置されている。下階建物ユニット１１の天井梁１１２，１１３の庇５側の端部には、それぞれ接合金物７１がボルト緊結によって取り付けられており、庇５の梁５３，５４の下階建物ユニット１１側の端部がそれぞれ接合金物７１にボルト緊結によって取り付けられている。これにより、庇５が下階建物ユニット１１にキャンチ式で取り付けられている。
なお、天井梁１１２，１１３に対する梁５３，５４の取り付け方法は、接合金物７１を介したボルト緊結に限られるものではなく、例えば、溶接、接着剤による接着等いずれの取り付け方法であっても良いし、それらの組み合わせであっても良い。
【００２７】
また、図３に示すように、下階建物ユニット１１が天井梁１１２，１１３に平行な天井中間梁１１４を有する場合には、庇５は、梁５３，５４と同様に構成されＸ方向に延設される中間梁５８を更に有していても良い。そして、天井中間梁１１４の庇５側の端部には、接合金物７１がボルト緊結によって取り付けられており、中間梁５８の下階建物ユニット１１側の端部が接合金物７１にボルト緊結によって取り付けられている。これにより、庇５をより安定して支持することができる。
【００２８】
また、庇５の下方に、下階建物ユニット１１の外壁面を覆うシャッターを収納するためのシャッターボックス（図示略）が設けられる場合には、梁５１〜５４は矩形枠状に配置されていなくても良い。すなわち、梁５１が梁５２に近接して配置され、天井梁１１１と梁５１との間に形成される空間を利用して当該シャッターボックスが設けられるものとしても良い。
【００２９】
拡張ユニット６は、四隅に立設された柱の上端間及び下端間をそれぞれ天井梁及び床梁で連結した略直方体状のフレームを有しており、建物ユニット１と略同様に構成されている。拡張ユニット６は、建物ユニット１よりも小さく形成されており、上階建物ユニット１２の側面に対して片持ち支持で取り付けられ、Ｘ方向において下階建物ユニット１１よりも張り出して設けられている。
【００３０】
庇５は、Ｘ方向において拡張ユニット６の下端面よりも大きく形成されており、Ｙ方向において拡張ユニット６の下端面と略同一の大きさに形成されている。このため、庇５は、鉛直方向下方から見て拡張ユニット６の下端面全体を覆うように配置されているとともに、Ｘ方向において拡張ユニット６よりも更に張り出した状態で配置されている。
【００３１】
また、庇５は、拡張ユニット６に吊られた状態で支持されている（吊り下げ式）。具体的には、庇５の４辺のうちの１辺を構成する梁５３が、拡張ユニット６の床梁６１にボルト緊結により取り付けられている。これにより、庇５を安定して支持することができる。このため、庇５の大面積化に伴って庇５の重量が増大しても、当該庇５を確実に支持することができるので、当該庇５の下方に大きな軒下空間４を形成することができる。なお、庇５の床梁６１に対する取り付け方法は、ボルト緊結に限られるものではなく、例えば、溶接、接着剤等いずれの取り付け方法であっても良いし、それらの組み合わせであっても良い。また、梁５３が拡張ユニット６の床梁６１に取り付けられているものとしたが、取り付け箇所はこれに限られるものではなく、庇５のいずれかの位置と拡張ユニット６の下部の何れかの位置とが取り付けられていれば良い。
【００３２】
また、図２及び図４（ｂ）に示すように、庇５は、梁５１と梁５２との中間位置にＹ方向に延設される中間梁５９を更に有している。
庇５上には、Ｙ方向に延設される勾配調整材７２，７３が設けられ、この勾配調整材７２，７３の上面には、板材７４が架設されている。図４（ｂ）に示すように、中間梁５９には断面Ｌ字状の支持部材７５が取り付けられ、勾配調整材７２が支持部材７５上に設けられていることによって、勾配調整材７３よりも高い位置に配置されている。これにより、板材７４は、中間梁５９に支持されて、ユニット式建物１００から水平方向に遠ざかるに従って次第に低くなるような勾配を有するように構成されている。また、板材７４の勾配の下端縁に排水溝７６が設けられている。板材７４は、例えば、セメント板が用いられ、その表面が防水シートで覆われているものとしても良い。
【００３３】
また、図２及び図４（ｃ）に示すように、庇５の上面の周縁部には立上り壁７７が設けられている。この立上り壁７７は、拡張ユニット６の外壁材６２と、下階建物ユニット１１の外壁材１１５と略同一の模様を有していることが好ましい。これにより、拡張ユニット６が張り出した方向から見てユニット式建物１００の外観に統一感をもたせることができ、ユニット式建物１００の外観意匠性を向上させることができる。
【００３４】
庇５がこのように構成されていることにより、庇５の上方の空間を有効に活用することができる。例えば、庇５の上面は、バルコニーとして用いられるものとしても良い。この場合には、立上り壁７７に、上方へ延びる腰高の面材とその頂部に配置される笠木とが設けられ、これらが一体として手摺壁を構成しているものとしても良いし、立上り壁７７の高さ寸法を高くして、立上り壁７７自体を手摺壁として利用しても良い。
【００３５】
ここで、図５及び図６を参照して、ユニット式建物１００の変形例について説明する。図５は、変形例に係るユニット式建物１００Ａの概略断面図であり、図６は、変形例に係るユニット式建物１００Ａの一部を示す概略図であり、それぞれ、図６（ａ）は、下階建物ユニット１１と庇５ａとの取り付け箇所を示す図であり、図６（ｂ）は、庇５が拡張ユニット６に吊られている箇所を示す図である。
以下に説明する以外の構成は上記実施形態のユニット式建物１００と略同様であるため、同一の構成については同一の符号を付し、その詳細な説明は省略する。
【００３６】
ユニット式建物１００Ａの庇５ａは、中間梁や立上り壁が設けられておらず、その代わりに、庇５ａの内部には、ドレーン管８１が設けられている。ドレーン管８１の一端部は、庇５ａの上面のうち拡張ユニット６と重ならない領域上に設けられ、庇５ａ上に降った雨水等を集水する排水口８２を構成している。図５及び図６に示す例では、排水口８２は、庇５ａの上面のうち拡張ユニット６に近接した位置に設けられているため、庇５ａを構成する面材５５ａは水平方向においてユニット式建物１００Ａに近づくに従って次第に低くなるように構成されていることが好ましい。また、ドレーン管８１の他端部は、庇５ａの下面を貫通し、下階建物ユニット１１の外壁面に沿って設けられた竪樋８３に接続されている。
【００３７】
以上のように構成される変形例のユニット式建物１００Ａによれば、庇５ａ上に降った雨水等を効率良く排水することができ、雨水等が溜まって庇５ａの重量が増大することを抑制することができる。このため、庇５ａを長期間に亘って安定して支持することができる。
【００３８】
また、図７を参照して、ユニット式建物１００の更に別の変形例について説明する。図７（ａ）〜図７（ｃ）は、変形例に係るユニット式建物１００Ｂ〜１００Ｄの概略斜視図である。
以下に説明する以外の構成は上記実施形態のユニット式建物１００と略同様であるため、同一の構成については同一の符号を付し、その詳細な説明は省略する。
【００３９】
図７（ａ）に示すユニット式建物１００Ｂは、入隅部９１を有するように構成され、拡張ユニット６が当該入隅部９１に設けられている。ユニット式建物１００Ｂの庇５ｂは、下階建物ユニット１１に取り付けられているとともに、当該下階建物ユニット１１に隣接する下階建物ユニット１３にも取り付けられている。つまり、庇５ｂの４辺のうち直交する２辺がそれぞれ下階建物ユニット１１，１３に取り付けられていることとなる。庇５ｂがこのように構成されていることにより、庇５ｂが複数箇所で固定され、庇５ｂをより安定して支持することができる。
【００４０】
また、図７（ｂ）に示すユニット式建物１００Ｃは、図７（ａ）に示すユニット式建物１００Ｂと同様、入隅部９１を有するように構成され、拡張ユニット６が当該入隅部９１に設けられている。ユニット式建物１００Ｃの庇５ｃは、下階建物ユニット１１に取り付けられるとともに、当該下階建物ユニット１１に隣接する下階建物ユニット１３にも取り付けられている。つまり、庇５ｃの４辺のうち直交する２辺がそれぞれ下階建物ユニット１１，１３に取り付けられていることとなる。
ここで、ユニット式建物１００Ｃの庇５ｃは、Ｘ方向及びＹ方向において拡張ユニット６よりも大きく形成されている。庇５ｃがこのように構成されていることにより、庇５ｃの下方に形成される軒下空間４ｃを更に大きくすることができる。
【００４１】
また、図７（ｃ）に示すユニット式建物１００Ｄは、略Ｌ字状に形成された庇５ｄを備えている。庇５ｄは、下階建物ユニット１１に対して、下階建物ユニット１１の天井梁の２辺に取り付けられている。このように構成されていることにより、庇５ｄが複数箇所で固定され、庇５ｄをより安定して支持することができる。また、略Ｌ字状に形成されていることにより、庇５ｄの安定的な支持を維持しつつ庇５ｄを大面積化することができ、庇５ｄの下方に形成される軒下空間４ｄを更に大きくすることができる。
【００４２】
以上、上記した実施形態によれば、下階２の端部に配置される下階建物ユニット１１に取り付けられて軒下空間４を形成する庇５と、下階建物ユニット１１の真上に配置される上階建物ユニット１２に支持され、下階建物ユニット１１よりも屋外側に張り出して設けられる拡張ユニット６と、を備え、庇５が、拡張ユニット６に吊られて支持されているので、庇５をキャンチ式と吊り下げ式で支持できることになり、簡易な構造で、庇５を安定して支持することができる。これにより、庇５の大面積化に伴い重量が増大しても庇５を確実に支持することができ、十分な広さの軒下空間４を得ることができる。
【００４３】
また、庇５が矩形状に形成され、庇５の直交する２辺のうち少なくとも一方が下階建物ユニット１１に取り付けられているので、より簡易な構造で庇５を安定して支持することができる。
【００４４】
また、庇５の直交する２辺のうち、一方が下階建物ユニット１１に取り付けられ、他方が下階建物ユニット１１に隣接する下階建物ユニット１３に取り付けられている場合には、庇５を更に安定して支持することができる。これにより、庇５の大面積化に伴い重量が増大しても庇５をより確実に支持することができ、十分な広さの軒下空間４を得ることができる。
【００４５】
また、拡張ユニット６の外側であってかつ庇５の上面に板材７４が設けられており、庇５は板材７４を支持する中間梁５９を有するので、中間梁５９によって板材７４を確実に支持することができる。また、これにより、庇５の上方の空間を有効に活用することができる。
【００４６】
また、庇５の周縁部には立上り壁７７が設けられ、拡張ユニット６の外壁材６２と、下階建物ユニット１１の外壁材１１５と、立上り壁７７とが略同一の模様を有しているので、拡張ユニット６が張り出した方向から見てユニット式建物１００に統一感をもたせることができ、ユニット式建物１００の外観意匠性を向上させることができる。
【００４７】
また、庇５ａの内部に設けられ、庇５ａ上に位置する排水口８２を有するドレーン管８１を更に備え、前記ドレーン管８１が、下階建物ユニット１１の外壁面に沿って設けられた竪樋８３に接続されている場合には、庇５ａ上に降った雨水等を効率良く排水することができ、雨水等が溜まって庇５ａの重量が増大することを抑制できる。これにより、庇５ａを長期間に亘って安定して支持することができる。
【００４８】
なお、上記した実施形態では、ユニット式建物１００が、下階２と上階３の２つの階層で構成されているものとしたが、２以上の階層で構成されていても良い。その場合には、庇５は、最上階以外の建物ユニット１に取り付けられ、拡張ユニット６は、庇５の上方に配置されて庇５を吊って支持しているものである。
【００４９】
また、上記した実施形態では、庇５が、矩形状に形成されているものとしたが、下階建物ユニット１１に取り付けられ、かつ拡張ユニット６に吊られていれば、矩形状に形成されていなくても良く、例えば、円形状、楕円形状、多角形状その他の形状に形成されていても良い。
【００５０】
また、上記した実施形態では、庇５は、Ｘ方向に延設される中間梁５８及びＹ方向に延設される中間梁５９を有するものとしたが、いずれか一方を有するものとしても良いし、中間梁５８，５９をともに有していなくても良い。
【００５１】
また、上記した実施形態では、庇５を下階建物ユニット１１の天井中間梁１１４に取り付けるために中間梁５８が設けられ、板材７４に勾配を付けるために中間梁５９が設けられているものとしたが、庇５を補強する目的で、庇５に中間梁５８，５９が設けられているものとしても良い。この場合、必要に応じて中間梁５８，５９の形状や寸法を変更するものとしても良い。
【符号の説明】
【００５２】
１      建物ユニット
２      下階
３      上階
４、４ｂ、４ｃ、４ｄ  軒下空間
５、５ａ、５ｂ、５ｃ、５ｄ  庇
６      拡張ユニット
１１    下階建物ユニット
１２    上階建物ユニット
１３    下階建物ユニット
５１、５２、５３、５４  梁
５５、５５ａ  面材
５６    野縁
５７    軒天材
５８、５９  中間梁
６１    床梁
６２    外壁材
７１    接合金物
７２、７３  勾配調整材
７４    板材
７５    支持部材
７６    排水溝
７７    立上り壁
８１    ドレーン管
８２    排水口
８３    竪樋
９１    入隅部
１００、１００Ａ、１００Ｂ、１００Ｃ、１００Ｄ  ユニット式建物
１１１、１１２、１１３  天井梁
１１４  天井中間梁
１１５  外壁材
【図１】
2015010444.tif 000003
【図２】
2015010444.tif 000004
【図３】
2015010444.tif 000005
【図４】
2015010444.tif 000006
【図５】
2015010444.tif 000007
【図６】
2015010444.tif 000008
【図７】
2015010444.tif 000009